(57)【特許請求の範囲】
【請求項１】
ゲート部材（２６）が不意に解けることを防ぐ機構を備え、
巻き上げられる材料からなる該ゲート部材（２６）を含む安全ゲートの固定装置において、
上記ゲート部材（２６）が不意に解けることを防ぐ機構は、巻きが解けるのと同時に回転する歯車（１）を含み、
該歯車（１）の歯と協動するキャッチ（４）および巻きを解くためゲートを解除するための解除機構も備え、
該解除機構は歯車（１）に隣接して設けられるスロットと外部表面（１３）を備えたドライバー（２）を含み、
前記解除機構は該歯車（１）と同心的に回転し、その回転の際、キャッチ（４）に設けられたピン（６）はドライバー（２）のスロット内を移動し、
前記ピン（６）を前記外部表面（１３）に当接させることにより、
前記キャッチ（４）が前記歯車（１）から離間し、解除位置にあることを特徴とする
安全ゲートの固定装置。
【請求項２】
前記ドライバー（２）に、間に前記スロットが設置される二つの脚部（１１、１２）を備えたことを特徴とする
請求項１に記載の安全ゲートの固定装置。
【請求項３】
前記スロットがL字型であることを特徴とする
請求項１に記載の安全ゲートの固定装置。
【請求項４】
ゲートを解除するとき、解除装置（２０、２１、５）を、
内部ボタンと該内部ボタンを囲んで連動する外部ボタンとが共に巻き取り機構の軸と前記固定装置の中央に向かって押された後、前記内部ボタンが押されて、その後両方のボタンが共に前記中央から押されて引き離されることによって、三つの異なった方向に手動で動かされることにより、前記解除機構を作動させることを特徴とする
請求項１から３のいずれか１項に記載の安全ゲートの固定装置。
【請求項５】
前記解除機構が作動し、前記解除装置が前記中央から押されて引き離される最後の方向に動くときにのみゲートが解除されることを特徴とする
請求項４に記載の安全ゲートの固定装置。
【請求項６】
前記解除装置に前記外部ボタンである第一ボタン（２１）および該第一ボタンの移動方向に対して直角に移動する該第一ボタン内に設けられた前記内部ボタンである第二ボタン（２０）が含まれることを特徴とする
請求項４又は５に記載の安全ゲートの固定装置。
【請求項７】
請求項１から６に記載の安全ゲートの固定装置を備えた安全ゲート。
【発明の詳細な説明】
【０００１】
【技術分野】
本発明はローラー機構のための固定装置、及びこれを用いた安全ゲートである。該固定装置は、プラスチックもしくは布でできた安全ゲートに主として用いられる。固定装置の機能として、固定装置が解除されたときのみ、ゲート部材の巻き解除をおこなう。ゲート部材を巻くのは、ローラーブラインド用と同じ種類のスプリング機構によっておこなうのが望ましい。
【０００２】
【背景技術】
本発明が使用される種類の安全ゲートは、主に小さい子供たちが階段の方に行ったりしないようにする子供用安全ゲートとして用いられる。
このように、安全ゲートは、大人や年長の子供によって簡単に開けられるべきであるが、ゲートを開く動作には小さな子供ができない所作を含むものである。ゲートが閉められるとき、ゲート部材は、開口部の一方に垂直に設置されたロールが解かれ、ゲートの外側のエッジは適切な方法で開口部のもう一方において固定される。ゲートが、ゲート部材の表面に圧力を加えられるなど、何らかの方法で触れられると、固定装置はゲート部材がそれ以上解かれるのを防ぐ。
【０００３】
【発明の開示】
ゲートを使用するため開口部を閉じるときの方法として、固定装置を最初に解除し、ゲートを押し返すことなく一気に引き出し、外側のエッジが固定されるようにする。ゲートは、異なった方向の幾つかの連続した動きに対する固定装置の制御ボタンに影響を与える動きを引き起こす外部の操作によって解除される。各制御ボタンは互いに連動し、外部ボタンが、内部ボタンを囲み、固定装置の解除は、両方のボタンが共に巻き取り機構の軸と該装置の中央に向かって押された後、内部ボタンが押されて、その後両方のボタンが共に中央から押されて引き離されることによって、実行される。各ボタンは、ネックレス、紐、バンドおよびこれらに類似するものが引っかからないような外観をしている。
【０００４】
【発明を実施するための最良の形態】
本発明とその実施態様による固定装置、及び安全ゲートは各請求項に記載された特性を有する。本発明は添付の図面に記載の実施態様の例に則してより詳細に説明される。
【０００５】
例えば、安全ゲートは二つのゲートポスト２７、２８の間に設置される。固定チューブ２９は第一ゲートポスト２７に固定され、上端部に固定装置の収納部分３、１７、下端部にゲート部材２６が巻き上げられるチューブ用軸受３０が備わっている。図１２中、ゲート部材は第二ゲートポスト２８に引き出されるように記載されており、図には示されていない周知の方法で該ゲートポストに固定される。
【０００６】
安全ゲートの素材は、ローラーブラインドと同様の方法で、ロッドもしくはチューブに巻き上げられ、ローラーブラインドと同じ種類のリターン・スプリングを備える。しかしながら、上記のとおり、安全ゲートは意図せず巻きを解除されてはならず、固定装置の解除によらなければならないという点で、根本的な機能の違いがある。各図面で示された実施例において、ゲート部材２６は、歯車１のシャフト・エンド１６に備え付けられ、下方軸受３０に位置するローラー３１から巻きを解除されたり、該ローラーに巻き付けられたりする。歯車１は収納ケースの上部１７の中に、収納ケースの下部にある穴１５に接するシャフト・エンド１６によって、軸受を構成する。巻きを解く工程に際して、歯車１は図７の曲った矢印９で示された方向に回転する。この回転は、それに伴う部材の巻きの解除と共に、キャッチ４が歯車１と交差したときに阻まれる。部材は収納ケースの下部３に特別に設けられた軸受装置２３に、そして、収納ケースの上部１７にも回転可能な状態で収納される。キャッチ４は、部材の構成部分であり、収納ケースの下部３にあるブッシング３２に接するスプリングによって歯車１に向けて内方向に付勢される。
【０００７】
キャッチ４は、歯車１にあるシャフト・エンド１６に回転可能に設置されたドライバー２によって歯車１が解除される位置に設けられ、ドライバー２は歯車１と収納ケースの上部３の間に位置することになる。ドライバー２は二つの脚部、またはアーム、つまり一つの短いアーム１１および一本のより長いアーム１２によって構成されるフォークを有し、その位置は、脚部の基本的に平行な内側表面によって限界が定められたスロットをアームの間に有する。脚部１１、１２は、内部表面と延長部分がドライバー２の回転部分の中央点を通る半径に対し鋭角を成し、半径の延長が脚部のうち一つの外部表面１３を通ることを特徴とする。キャッチのピン６が短いアーム１１の外部の平坦な外部表面１３に接するとき、固定装置は解除され、ゲート部材２６は巻きの解除が可能となる。発明の他の実施態様において、図９および図１０によって示された接続用外部材によって、脚部が纏められている。ドライバー２のスロットはＬ字型で、スロットの短い脚部は、上記フォークの短い脚部１１の外部表面１３に相当する。ドライバー２は解除された状態で、Ｌ字型スロットの短い脚部の片方の表面に位置する。
【０００８】
ローラー３１に巻き上げられたゲート部材２６の巻きを解除するために、上記のとおり、固定装置を解除する必要がある。これを実現するために、キャッチ４を歯車１から離間し、ドライバー２を移動させて、キャッチ４がドライバー２の短いアーム１１の外部表面１３と当接するようにすべきである。この工程は、押しボタンを有する解除装置によっておこなわれるべきで、収納ケースの最上部にある最初のボタン（第一ボタン）２１および第二ボタン２０からなる。解除するときは、次の三つの異なった方向にボタンを手動で作動することが要求される。つまり、第一ボタン２１が水平に押され（図１の右側へ）、第二ボタン２０が押し下げられ、解除機構が第二ボタン２０にあるピン５によって作動するようになる（図３、４の位置）。第二ボタン２０はピン５によって、キャッチ４を解除位置に移動させるように、開始位置（図１、２の位置）にすべて押し戻され、キャッチ４のピン６は短いアーム１１の外部表面１３に当接することになる。巻きを解く工程が進行中は、固定装置の状態に変化はないが、ゲート部材２６が少し戻ると、ドライバー２は、歯車１と、ドライバー２が備わっているシャフト・エンド１６に対する摩擦で作動し、キャッチ４は固定位置に戻り、キャッチ４にあるピン６はドライバー２のアーム１１およびアーム１２の間にあるスロット内に位置することになる。
【図面の簡単な説明】
【図１】  固定装置の収納ケースの上部外観である。
【図２】  図１の収納ケースの上部内側である。
【図３】  押しボタンが押された状態の図１である。
【図４】  押しボタンが押された状態の図２である。
【図５】  固定装置の収納ケースの下部内側である。
【図６】  固定装置の収納ケースの下部外観である。
【図７】  固定機具が解除された状態にある固定装置の上部である。
【図８】  固定装置のキャッチを示す。
【図９】  固定装置のドライバーを示す。
【図１０】  ドライバーの第二の図である。
【図１１】  歯車とそのシャフト・エンドを示す。
【図１２】  発明の原則どおり、固定装置を有する組み立てられた安全ゲートである。
固定装置には上部１７および下部３を有する収納ケースが含まれる。
【図１】
0004691305.tif 000002
【図２】
0004691305.tif 000003
【図３】
0004691305.tif 000004
【図４】
0004691305.tif 000005
【図５】
0004691305.tif 000006
【図６】
0004691305.tif 000007
【図７】
0004691305.tif 000008
【図８】
0004691305.tif 000009
【図９】
0004691305.tif 000010
【図１０】
0004691305.tif 000011
【図１１】
0004691305.tif 000012
【図１２】
0004691305.tif 000013